(57)【要約】【課題】  外部のスイッチが不必要に押さえられて発生するバッテリーの消耗を減らし得る移動通信端末機のボタンが押された状態を感知する装置及びその方法を提供する。【解決手段】 移動通信端末機のボタンが押された状態を感知する装置は、少なくとも二つの回転スイッチ１０と、少なくとも二つの回転スイッチ１０に連結され、それら回転スイッチ１０の連結パターンによってスイッチング動作を感知する制御部２００と、を包含して構成される。【選択図】  図１
2006033843.tif 000002
【特許請求の範囲】
【請求項１】
少なくとも二つの回転スイッチと、
前記少なくとも二つの回転スイッチに連結され、それら回転スイッチの連結パターンによってスイッチング動作を感知する制御部と、を包含して構成されることを特徴とする移動通信端末機のボタンが押された状態を感知する装置。
【請求項２】
前記回転スイッチは、
円板状の回転部材と、
半径方向に所定間隔を有して複数の羽が形成された接点ロータリーと、
前記回転部材と前記接点ロータリーの貫通ホールに固定的に挟まれる回転軸と、
前記接点ロータリーの羽の回転によってスイッチ接点が開閉される接点スイッチと、を包含して構成されることを特徴とする請求項１記載の移動通信端末機のボタンが押された状態を感知する装置。
【請求項３】
前記回転部材は、
基板の上面上に位置し、前記接点ロータリーは、基板の下面下に位置することを特徴とする請求項２記載の移動通信端末機のボタンが押された状態を感知する装置。
【請求項４】
前記接点スイッチは、
可動接点を介して相互接続される可動部及び固定部と、
それら可動部及び固定部を支持する支持台と、を包含して構成されることを特徴とする請求項２記載の移動通信端末機のボタンが押された状態を感知する装置。
【請求項５】
前記可動接点は、
接点ロータリーの羽の回転によって固定部から分離される可動部上の所定位置に形成されることを特徴とする請求項４記載の移動通信端末機のボタンが押された状態を感知する装置。
【請求項６】
前記制御部は、
回転スイッチの動作の順序に基づいてスイッチング動作の方向を決定することを特徴とする請求項１記載の移動通信端末機のボタンが押された状態を感知する装置。
【請求項７】
前記制御部は、
二つの回転スイッチの回転方向、動作の順序及び回転数によってスイッチング動作を判断することを特徴とする請求項１記載の移動通信端末機のボタンが押された状態を感知する装置。
【請求項８】
前記制御部は、
二つの回転スイッチが同様な方向に所定回数以上連続的に順次動作される時のみに使用者によるスイッチング動作であると判断することを特徴とする請求項７記載の移動通信端末機のボタンが押された状態を感知する装置。
【請求項９】
少なくとも二つの回転スイッチを具備したスイッチユニットと入出力ポートを通ってスイッチユニットに連結された制御部とを有する移動通信端末機において、
前記制御部が前記入出力ポートを通って二つの回転スイッチの接点連結を感知する段階と、
前記感知された接点連結に基づいて前記各回転スイッチの回転方向、動作の順序及び回転数の少なくとも一つを認識してスイッチング動作を判断する段階と、を順次行うことを特徴とする移動通信端末機のボタンが押された状態を感知する方法。
【請求項１０】
前記制御部は、
二つの回転スイッチが同様な方向に所定回数以上連続的に順次動作される時のみに該当スイッチング動作を遂行することを特徴とする請求項９記載の移動通信端末機のボタンが押された状態を感知する方法。
【請求項１１】
前記制御部は、
各回転スイッチの動作の順序に基づいてスイッチング動作の方向を決定することを特徴とする請求項９記載の移動通信端末機のボタンが押された状態を感知する方法。
【発明の詳細な説明】
【技術分野】
【０００１】
本発明は、移動通信端末機に係るもので、詳しくは、回転によりスイッチ接点の開閉を感知するスイッチユニット、及びこれを利用した移動通信端末機のボタンが押された状態を感知する方法に関するものである。
【背景技術】
【０００２】
最近、無線通信機術の飛躍的な発達により多様な機能を具備した端末機が市場に発表されてあり、よって、前記高機能の移動通信端末機を利用し、使用者は、多様なマルチメディアサービス、付加機能及び無線インターネットの提供を受け得るようになった。
図４は、従来の移動通信端末機を示した斜視図である。
【０００３】
従来の移動通信端末機の前面には、図４に示したように、多様なメニューキー、機能キー及び番号キーを具備したキーパッド部２０が形成され、側面には、二つのプッシュ（Push）スイッチ２１ａ、２１ｂがそれぞれ装着され、それらプッシュスイッチ２１ａ、２１ｂは、図５に示したように、内部ＣＰＵのＧＰＩＯ（General  Purpose  Input  Outpot）ポートに夫々連結されていた。
【０００４】
よって、使用者は、端末機のフォルダが開放された場合は、前記キーパッド部２０及び二つのプッシュスイッチ２１ａ、２１ｂをそれぞれ操作することで多様なサービス、付加機能及び無線インターネット等を利用し得るし、フォルダが閉められた状態においては、側面に備えられた二つのプッシュスイッチ２１ａ、２１ｂをそれぞれ適切に操作することでカメラ及びバックライト（backlight）等を動作させるようになっている。例えば、メニュー選択用カーソルを上側に移動する動作は、プッシュスイッチ２１ａにより遂行し、下側に移動する動作は、プッシュスイッチ２１ｂにより遂行していた。また、前記プッシュスイッチ２１ａ、２１ｂを押してカメラ撮影を遂行するか、又は所定時間押してバックライトをつけることもできた。
【０００５】
従って、このような構造を有する移動通信端末機において、若し、使用者が前記プッシュスイッチ２１ａ、２１ｂを押すと、図５に示したように、スイッチ接点が連結され、ＣＰＵは、スイッチ接点に連結されたＧＰＩＯ（General  Purpose  Input  Outpot）ポートの論理状態を周期的に測定することでスイッチング動作を認識するようになっていた。
【発明の開示】
【発明が解決しようとする課題】
【０００６】
然るに、このような従来の移動通信端末機のＣＰＵは、外部のプッシュスイッチが使用者により押されたか、又はポケット及びかばんの中で使用者の意思とは関係なく押されたかが明確でない。従って、外部のボタンがポケットの中で使用者の意思に関係なく押された場合も、ＣＰＵは、該当ボタンが押されることによって、カメラを動作させるか、又はバックライトをつける動作等を行うため、バッテリーの電流が不必要に消耗されるという問題点があった。
【０００７】
従って、本発明は、このような従来技術の問題点を解決するためになされたもので、外部のスイッチが不必要に押さえられて発生するバッテリーの消耗を減らすための移動通信端末機のボタンが押された状態を感知する装置及びその方法を提供することを目的とする。
【０００８】
また、本発明は、使用者による外部のスイッチング動作を正確に認識し得る移動通信端末機のボタンが押された状態を感知する装置及びその方法を提供することを目的とする。
【課題を解決するための手段】
【０００９】
このような本発明の目的を達成するために、本発明に係る移動通信端末機のボタンが押された状態を感知する装置においては、少なくとも二つの回転スイッチと、前記少なくとも二つの回転スイッチに連結され、前記回転スイッチの連結パターンによってスイッチング動作を感知する制御部と、を包含して構成されることを特徴とする。
【００１０】
好ましくは、前記回転スイッチは、円板状の回転部材と、半径方向に所定間隔を有して複数の羽が形成された接点ロータリーと、前記回転部材と前記接点ロータリーの貫通ホールに固定的に挟まれる回転軸と、前記接点ロータリーの羽の回転によってスイッチ接点が開閉される接点スイッチと、を包含して構成されることを特徴とする。
【００１１】
好ましくは、前記制御部は、二つの回転スイッチの回転方向、動作の順序及び回転数によってスイッチング動作を判断する。この場合、制御部は、二つの回転スイッチが同様な方向に所定回数以上連続的に順次動作される時のみに使用者によるスイッチング動作であると判断することを特徴とする。
【００１２】
前記のような目的を達成するために、少なくとも二つの回転スイッチを備えたスイッチユニットと入出力ポートを通ってスイッチユニットに連結された制御部とを包含して構成される移動通信端末機において、本発明に係る移動通信端末機のボタンが押された状態を感知する方法は、入出力ポートを通って制御部がスイッチユニット内に備えられた二つの回転スイッチの接点連結を感知する段階と、前記感知された接点連結に基づいて二つの回転スイッチの回転方向、動作の順序及び回転数の少なくとも一つを認識してスイッチング動作を判断する段階と、を順次行うことを特徴とする。
【００１３】
好ましくは、前記判断段階において、制御部は、二つの回転スイッチが同様な方向に所定回数以上連続的に順次動作される時のみに使用者によるスイッチング動作であると判断することを特徴とする。
【００１４】
上記目的を達成するために、本発明は、例えば、以下の手段を提供する。
（項目１）
少なくとも二つの回転スイッチと、
前記少なくとも二つの回転スイッチに連結され、それら回転スイッチの連結パターンによってスイッチング動作を感知する制御部と、を包含して構成されることを特徴とする移動通信端末機のボタンが押された状態を感知する装置。
（項目２）
前記回転スイッチは、
円板状の回転部材と、
半径方向に所定間隔を有して複数の羽が形成された接点ロータリーと、
前記回転部材と前記接点ロータリーの貫通ホールに固定的に挟まれる回転軸と、
前記接点ロータリーの羽の回転によってスイッチ接点が開閉される接点スイッチと、を包含して構成されることを特徴とする項目１記載の移動通信端末機のボタンが押された状態を感知する装置。
（項目３）
前記回転部材は、
基板の上面上に位置し、前記接点ロータリーは、基板の下面下に位置することを特徴とする項目２記載の移動通信端末機のボタンが押された状態を感知する装置。
（項目４）
前記接点スイッチは、
可動接点を介して相互接続される可動部及び固定部と、
それら可動部及び固定部を支持する支持台と、を包含して構成されることを特徴とする項目２記載の移動通信端末機のボタンが押された状態を感知する装置。
（項目５）
前記可動接点は、
接点ロータリーの羽の回転によって固定部から分離される可動部上の所定位置に形成されることを特徴とする項目４記載の移動通信端末機のボタンが押された状態を感知する装置。
（項目６）
前記制御部は、
回転スイッチの動作の順序に基づいてスイッチング動作の方向を決定することを特徴とする項目１記載の移動通信端末機のボタンが押された状態を感知する装置。
（項目７）
前記制御部は、
二つの回転スイッチの回転方向、動作の順序及び回転数によってスイッチング動作を判断することを特徴とする項目１記載の移動通信端末機のボタンが押された状態を感知する装置。
（項目８）
前記制御部は、
二つの回転スイッチが同様な方向に所定回数以上連続的に順次動作される時のみに使用者によるスイッチング動作であると判断することを特徴とする項目７記載の移動通信端末機のボタンが押された状態を感知する装置。
（項目９）
少なくとも二つの回転スイッチを具備したスイッチユニットと入出力ポートを通ってスイッチユニットに連結された制御部とを有する移動通信端末機において、
前記制御部が前記入出力ポートを通って二つの回転スイッチの接点連結を感知する段階と、
前記感知された接点連結に基づいて前記各回転スイッチの回転方向、動作の順序及び回転数の少なくとも一つを認識してスイッチング動作を判断する段階と、を順次行うことを特徴とする移動通信端末機のボタンが押された状態を感知する方法。
（項目１０）
前記制御部は、
二つの回転スイッチが同様な方向に所定回数以上連続的に順次動作される時のみに該当スイッチング動作を遂行することを特徴とする項目９記載の移動通信端末機のボタンが押された状態を感知する方法。
（項目１１）
前記制御部は、
各回転スイッチの動作の順序に基づいてスイッチング動作の方向を決定することを特徴とする項目９記載の移動通信端末機のボタンが押された状態を感知する方法。
【発明の効果】
【００１５】
本発明は、二つの回転スイッチが同時に順次動作され、各回転スイッチが所定回数以上回転する場合にのみスイッチ動作であると認識することで、ポケットやかばんの中で使用者の意思とは関係なく押される動作により発生する端末機の誤作動を防止し、バッテリーの電力消耗を減らし得るという効果がある。
【発明を実施するための最良の形態】
【００１６】
以下、本発明に係る好ましい実施形態に対し、図面を用いて説明する。
【００１７】
本発明は、回転動作により動作される二つの回転スイッチを単一スイッチユニット内に形成して、前記二つの回転スイッチが同様な方向に所定回数以上連続的に順次動作される時のみに使用者によるスイッチング動作であると判断する。この場合、制御部は、個別スイッチの動作の順序に基づいてスイッチング動作の方向（上下左右）を決定（選択）し、スイッチ動作時の論理状態の変動数を基準に個別スイッチの動作を決定する。好ましくは、前記各スイッチは、移動通信端末機の外部に位置するスイッチを全部包含する。
【００１８】
本発明の実施形態に係る移動通信端末機のボタンが押された状態を感知する装置においては、図１に示したように、移動通信端末機の外側面に装着されて、回転スイッチの組合から構成されたスイッチユニット１００と、該スイッチユニット１００の個別回転スイッチの接点連結によってスイッチ動作を感知する制御部２００と、を包含して構成されている。ここで、該制御部２００はＣＰＵが用いられる。
【００１９】
また、前記スイッチユニット１００は、回転によりスイッチ接点が開閉される二つの回転スイッチ１０と一つの基板１１を包含して構成される。
【００２０】
また、前記各回転スイッチ１０は、図２に示したように、円板状の回転部材５０と、半径方向に所定間隔を有して複数の羽が形成された円板状の接点ロータリー５１と、前記回転部材５０と接点ロータリー５１の貫通ホールに固定的に挟まれる回転軸５２と、前記接点ロータリー５１の羽５１ａの回転によってスイッチ接点が開閉される接点スイッチ５３と、を包含して構成される。
【００２１】
また、前記接点スイッチ５３は、支持台５３ｄが立設されて該支持台５３ｄに支持されて、先方に突成された可動接点５３ａを通って相互接続される可動部５３ｂと該可動部５３ｂの下方の前記支持台５３ｄに支持された固定部５３ｃとを包含して構成される。即ち、前記可動接点５３ａは、前記接点ロータリー５１の羽５１ａの回転により前記可動部５３ｂが上側に押し上げられると、前記固定部５３ｃから分離されるようになっている。
【００２２】
従って、図２に示したように、前記回転スイッチ１０の回転部材５０及び接点ロータリー５１は、夫々基板１１の上面と下面に位置し、前記本発明に係るボタンが押された状態を感知する装置を具備した移動通信端末機は、図３に図示されている。
【００２３】
以下、このように構成された本発明に係る移動通信端末機のボタンが押された状態を感知する装置の動作に対し、図１及び図２に基づいて説明する。
【００２４】
先ず、使用者が前記回転スイッチ１０の回転部材５０を押して回すと（使用者が意図しない場合も包含する）、前記回転軸５２に軸支された接点ロータリー５１が回転され、該接点ロータリー５１の各羽５１ａにより前記可動スイッチ５３の内部にある可動接点５３ａが固定部５３ｃから分離される。このことによって、前記接点スイッチ５３の可動部５３ｂに連結されている制御部２００のＧＰＩＯポートの論理状態がLowからHighに遷移するため、該制御部２００は、ＧＰＩＯポートの論理状態に基づいてスイッチ動作を認識することができる。
【００２５】
この時、前記制御部２００は、二つの回転スイッチ１０の順次的な連続動作によって一つのスイッチ動作を認識する。好ましくは、前記制御部１００は、二つの回転スイッチ１０の動作の順序によりスイッチング動作の方向を決定する。即ち、前記制御部２００は、二つの回転スイッチ１０が同時に動作される場合にのみスイッチ動作であると認識し、各スイッチング動作の方向は、下側回転スイッチ１０が先に動作されると、特定機能の「Ｕｐ」動作と判断し、上側回転スイッチ１０が先に動作されると、特定機能の「Ｄｏｗｎ」動作と判断する。
【００２６】
例えば、前記スイッチユニット１００が端末機の側面に備えられて、ボリュームアップ／ダウン機能を遂行すると仮定すると、使用者は、ボリュームをアップする場合、前記回転スイッチ１０の回転部材５０を上方に押して回し、ボリュームをダウンする場合は、回転部材５０を下方に押して回す。この場合、隣接配置された二つの回転スイッチ１０は、前記回転部材５０の動作により順次及び連続的に作動されなければならない。即ち、使用者が、ボリュームをアップする場合は、前記下側回転部材５０及び上側回転部材５０を連続的に上に押して回し、ボリュームをダウンする場合は、前記上側回転部材５０及び下側回転部材５０を連続的に下に押して回す。
【００２７】
また、前記制御部２００は、スイッチの誤動作を防止するために、ＧＰＩＯポートで連続的に発生する論理状態（接点連結）の変動数をチェックして、該論理状態が所定回数以上変動される場合のみにスイッチ動作であると判断する。
【００２８】
即ち、前記制御部２００は、入出力ポートを通って前記スイッチユニット１００の内部に備えられた二つの回転スイッチ１０の接点連結を感知し、これに基づいて二つの回転スイッチの回転方向、動作の順序及び回転数を認識し、二つの回転スイッチが同様な方向に所定回数以上連続的に順次動作される時のみに使用者によるスイッチング動作であると判断する。
【００２９】
以上、図１の実施形態に対して説明したが、これに限定されず、左右方向の決定のために、二つの回転スイッチが端末機の正面に備えられた実施形態を考慮することもできる。この場合、該当実施形態の動作は、動作方向のみを除いて図１の実施形態と同様である。
【００３０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３１】
外部のスイッチが不必要に押さえられて発生するバッテリーの消耗を減らし得る移動通信端末機のボタンが押された状態を感知する装置及びその方法を提供する。
【００３２】
移動通信端末機のボタンが押された状態を感知する装置は、少なくとも二つの回転スイッチ１０と、少なくとも二つの回転スイッチ１０に連結され、それら回転スイッチ１０の連結パターンによってスイッチング動作を感知する制御部２００と、を包含して構成される。
【図面の簡単な説明】
【００３３】
【図１】本発明に係る移動通信端末機のボタンが押された状態を感知する装置の構成を示した図である。
【図２】図１の各回転スイッチの構成を示した図である。
【図３】図１の移動通信端末機のボタンが押された状態を感知する装置を具備した移動通信端末機を示した斜視図である。
【図４】従来の移動通信端末機を示した斜視図である。
【図５】図４のプッシュスイッチとＣＰＵ間の連結関係を示した図である。
【符号の説明】
【００３４】
１０：回転スイッチ
５０：回転部材
５１：接点ロータリー
５１ａ：羽
５２：回転軸
５３：接点スイッチ
５３ａ：可動接点
５３ｂ：可動部
５３ｃ：固定部
５３ｄ：支持台
１００：スイッチユニット
２００：ＣＰＵ
【図５】
2006033843.tif 000003
【図１】
2006033843.tif 000004
【図２】
2006033843.tif 000005
【図３】
2006033843.tif 000006
【図４】
2006033843.tif 000007